(57)【要約】  許可をエクスポートするための方法が提供される。この方法は、従来技術においては複数のＤＲＭシステム間で許可を複数回エクスポートすることができないという課題を解決するために用いられる。この方法は、第１デバイスが第２デバイスに許可をエクスポートすることを含み、前記第１デバイスは、前記ライセンスをエクスポートする前に、前記第２デバイスが属するシステムに許可がエクスポートされることが可能にされているか否かを判断し、前記第１デバイスは、さらに、前記許可の前記エクスポート権利をエクスポートすることが可能にされているか否かを、前記許可をエクスポートする前に判断し、そしてこれが可能にされている場合、前記許可の前記エクスポート権利を前記第２デバイスにエクスポートし、これにより、前記第２デバイスは前記許可を別のデバイスにエクスポートすることができる。端末装置、サーバ、及び通信ネットワークも開示されている。【選択図】図１
2010503083.tif 000002
【特許請求の範囲】
【請求項１】
ライセンスをエクスポートする方法であって、第１デバイスにより第２デバイスにライセンスをエクスポートすることを含み、前記第１デバイスが、前記ライセンスをエクスポートする前に、前記第２デバイスが属するシステムに前記ライセンスがエクスポートされることが許可されているか否かを少なくとも判断する方法であって、前記方法が、
前記ライセンスをエクスポートする前に前記第１デバイスにより、前記ライセンスにおけるエクスポート許可がエクスポートされることが許可されているか否かを判断し、
前記ライセンスにおける前記エクスポート許可がエクスポートされることが許可されている場合、前記ライセンスにおける前記エクスポート許可を前記第２デバイスにエクスポートし、前記エクスポート許可を前記第２デバイスにエクスポートすることにより、前記第２デバイスが前記ライセンスを別のデバイスにエクスポートすることが可能である、
ことをさらに含むライセンスをエクスポートする方法。
【請求項２】
前記エクスポート許可がエクスポートされることが許可されているか否かを示す第１識別子が前記ライセンスの属性情報に設けられ、前記第１デバイスが、少なくとも前記第１識別子に従って判断を行う請求項１に記載の方法。
【請求項３】
前記エクスポート許可がエクスポートされることが許可されているか否かを、前記エクスポート許可がエクスポートされ得る回数に従って前記第１デバイスにより判断することをさらに含む請求項２に記載の方法。
【請求項４】
前記第２デバイスが属するシステムに前記ライセンスがエクスポートされることが許可されているか否かを判断することは、前記第２デバイスが特定の制約を満たしているか否かを前記第１デバイスにより判断することをさらに含み、前記特定の制約が満たされている場合、前記ライセンスが前記第２デバイスに一時的にエクスポートされることが許可される請求項１に記載の方法。
【請求項５】
前記特定の制約が、前記第２デバイスが配置される地理的範囲又は空間的範囲である請求項４に記載の方法。
【請求項６】
前記ライセンスのエクスポート先である宛先システムの範囲を定義する第２識別子が前記ライセンスの属性情報に設けられ、前記第１デバイスが、前記第２デバイスが属するシステムに前記ライセンスがエクスポートされることが許可されているか否かを前記第２識別子に従って判断し、前記第２識別子が、特定の複数のシステムにおける任意の２つのシステム間で前記ライセンスがエクスポート及びインポートされることが許可されていることを示し、又は、前記ライセンスが特定の１対のシステムの２つのシステム間でエクスポート及びインポートされることが許可されていることを示す請求項１に記載の方法。
【請求項７】
前記第２識別子が、特定の複数のシステムにおける任意の２つのシステム間で前記ライセンスがエクスポート及びインポートされることが許可されていることを示す場合、前記任意の２つのシステムが互いに異なるシステムである請求項６に記載の方法。
【請求項８】
前記第２識別子が、特定の１対のシステムの２つのシステム間で前記ライセンスがエクスポートされることが許可されていることを示す場合、前記第１デバイスが属するシステムが、前記２つのシステムのいずれか一方であるか、又は、前記第１デバイスが属するシステムが、前記２つのシステムにおいて特定されたエクスポートシステムであり、且つ、前記第２デバイスが属するシステムが、前記２つのシステムにおいて特定されたインポートシステムである請求項６に記載の方法。
【請求項９】
さらに、前記ライセンスをエクスポートする前に前記第２デバイスの情報に従って前記第１デバイスにより前記ライセンスを変換するか、又は、前記ライセンスを受信した後に前記第２デバイスにより前記ライセンスを変換することを含む請求項１に記載の方法。
【請求項１０】
前記第１デバイス及び前記第２デバイスの各々が、端末デバイス、ゲートウェイ又はサーバである請求項１〜９のいずれか一項に記載の方法。
【請求項１１】
ライセンスをエクスポートする方法であって、第１デバイスによりライセンスを第２デバイスにエクスポートすることを含み、前記第１デバイスが、前記ライセンスをエクスポートする前に、前記第２デバイスが属するシステムに前記ライセンスがエクスポートされることが許可されているか否かを少なくとも判断する方法であって、
ライセンスのエクスポート先である宛先システムの範囲を定義する第２識別子が、前記ライセンスの属性情報に設けられ、前記第１デバイスが、前記第２デバイスが属する前記システムに前記ライセンスがエクスポートされることが許可されているか否かを前記第２識別子に従って判断する方法。
【請求項１２】
前記第２識別子が、複数の特定のシステムにおける任意の２つのシステム間で前記ライセンスがエクスポート及びインポートされることが許可されていることを示すか、又は、前記ライセンスが特定の１対のシステムの２つのシステム間でエクスポート及びインポートされることが許可されていることを示す請求項１１に記載の方法。
【請求項１３】
前記第２識別子が、前記ライセンスが複数の特定のシステムにおける任意の２つのシステム間でエクスポート及びインポートされることが許可されていることを示す場合、前記任意の２つのシステムが互いに異なるシステムである請求項１２に記載の方法。
【請求項１４】
前記第２識別子が、特定の１対のシステムの任意の２つのシステム間で前記ライセンスがエクスポート及びインポートされることが許可されていることを示す場合、前記第１デバイスが属するシステムが、前記２つのシステムのいずれか一方であるか、又は、前記第１デバイスが属するシステムが、前記２つのシステムにて特定されるエクスポートシステムであり、且つ、前記第２デバイスが属する前記システムが、前記２つのシステムにて特定されるインポートシステムである請求項１２に記載の方法。
【請求項１５】
さらに、前記ライセンスをエクスポートする前に前記第２デバイスの情報に従って前記ライセンスを前記第１デバイスにより変換するか、又は、前記ライセンスを受信した後に前記第２デバイスにより前記ライセンスを変換することを含む請求項１１に記載の方法。
【請求項１６】
前記第１デバイス及び前記第２デバイスの各々が、端末デバイス、ゲートウェイ又はサーバである請求項１１〜１５のいずれか一項に記載の方法。
【請求項１７】
ライセンス及び前記ライセンスに関連する情報を記憶するように適合されている記憶ユニットと、
宛先デバイスが属するシステムに前記ライセンスがエクスポートされることが許可されているか否か、及び、前記ライセンスにおけるエクスポート許可がエクスポートされることが許可されているか否かを判断するように適合されている判断ユニットと、
前記宛先デバイスが属する前記システムに前記ライセンスがエクスポートされることが許可されていること、及び、前記ライセンスにおける前記エクスポート許可がエクスポートされることが許可されていることを判断したときに、前記ライセンスを前記宛先デバイスにエクスポートするように適合されている通信ユニットと、
を含む通信装置。
【請求項１８】
さらに、前記デバイスと前記宛先デバイスとが異なるシステムに属する場合前記宛先デバイスの情報に従って前記ライセンスを変換するように適合されている変換ユニットを含む請求項１７に記載の装置。
【請求項１９】
前記デバイスが、端末デバイス、ゲートウェイ又はサーバである請求項１７又は１８に記載の装置。
【請求項２０】
第１デバイスを含み、前記第１デバイスは、前記第１デバイスに記憶されているライセンスが、第２デバイスが属するシステムにエクスポートされることが許可されているか否か、及び、前記ライセンスにおけるエクスポート許可がエクスポートされることが許可されているか否かを判断するように適合され、前記第１デバイスが、前記第２デバイスが属するシステムに前記ライセンスがエクスポートされることが許可されていること、及び、前記ライセンスにおける前記エクスポート許可がエクスポートされることが許可されていることを判断したときに、前記ライセンスを前記第２デバイスにエクスポートするように適合されており、
前記第２デバイスを含み、前記第２デバイスは前記ライセンスを受信するように適合されている
通信システム。
【請求項２１】
前記エクスポート許可がエクスポートされることが許可されているか否かを示す第１識別子が、前記ライセンスの属性情報に設けられ、前記第１デバイスが、少なくとも前記第１識別子に従って判断を行う請求項２０に記載のシステム。
【請求項２２】
前記ライセンスのエクスポート先である宛先システムの範囲を定義する第２識別子が前記ライセンスの属性情報に設けられ、前記第１デバイスが、前記第２デバイスが属するシステムに前記ライセンスがエクスポートされることが許可されているか否かを前記第２識別子に従って判断し、前記第２識別子が、複数の特定のシステムにおける任意の２つのシステム間で前記ライセンスがエクスポート及びインポートされることが許可されていることを示すか、又は、特定の１対のシステムの２つのシステム間で前記ライセンスがエクスポート及びインポートされることが許可されていることを示す請求項２０に記載のシステム。
【請求項２３】
前記第１デバイス及び前記第２デバイスの各々が、端末デバイス、ゲートウェイ又はサーバである請求項２０，２１又は２２に記載のシステム。
【発明の詳細な説明】
【技術分野】
【０００１】
本発明は、デジタル著作権管理技術の分野に関連し、特に、ライセンスをエクスポートするための方法及びシステムに関する。
【背景技術】
【０００２】
デジタル著作権管理（ＤＲＭ（Digital Rights Management））は、コンテンツ保有者の法的権利を、主にデジタルコンテンツの利用を制御することにより保護する。この制御は、許可制限、及びコンテンツ保護機構により行われる。ユーザにより端末デバイスにダウンロードされるデジタルコンテンツは、コンテンツ発行者（ＣＩ（Content Issuer））により暗号化されている。権利発行者（ＲＩ（Rights Issuer））は、デジタルコンテンツに対応するライセンスを発行する責任を負い、このライセンスは、デジタルコンテンツ及び対応する権利を解読するためのコンテンツキー（鍵）を含む。端末デバイスは、通常、購入されたデジタルコンテンツを、コンテンツデータパッケージ（デジタルコンテンツを解読するのに必要な情報を含む）及びライセンスの両方がコンテンツに備えられてさえいれば利用することができる。ＤＲＭ代理店が、ライセンスキーを、端末デバイスのパブリックキー（公開鍵）を用いて解読し、ライセンスにおけるコンテンツキーをライセンスキーにより取得し、それにより、デジタルコンテンツを解読し、また、ライセンスにおける許可情報に従うデジタルコンテンツの利用を保証する。
【０００３】
コンテンツ保護規格、例えば、オープン・モバイル・アーキテクチャ(Open Mobile Architecture)・デジタル著作権管理（ＯＭＡ ＤＲＭ）及びデジタル・ビデオ・ブロードキャスティング（ＤＶＢ ＣＰＣＭ）は、異なるＤＲＭシステム間でエクスポートを行うための機能を提供する。この機能により、或る１つのＤＲＭシステムにより保護されているコンテンツ及び対応するライセンスを、別のＤＲＭ規格をサポートする端末デバイスに転送することができる。
【０００４】
権利の確実な利用を保証するために、エクスポートソースであるＤＲＭシステムは、オリジナルコンテンツの、宛先ＤＲＭシステムにて許可される利用を制限し、また、権利譲渡先であることが許可される宛先ＤＲＭシステムを定義しなければならない。権利譲渡が行われる間、宛先ＤＲＭシステムが、対応する許可をサポートすることが確認されているＤＲＭシステムであるか否かが最初に判断される。
【０００５】
ＯＭＡ ＤＲＭ２．０の規格において、エクスポートの方法は２つのタイプに分けられる。１つは、「コピー」("copy")であり、すなわち、ソースデバイスが、コンテンツに関する現在の権利を、そのコンテンツの権利をエクスポートした後もまだ保持する様式である。もう一方は、「移動」("move")であり、すなわち、ソースデバイスが現在の権利をエクスポートすると、エクスポートされたコンテンツに関する権利をもはや保持しない様式である。
【０００６】
現在、ＯＭＡ ＤＲＭの規格は、権利オブジェクト（ＲＯ（Right Object））における全ての権利がエクスポートされることをサポートするが、エクスポート許可がエクスポートされることはサポートしない。従って、エクスポートされたライセンスが他のデバイスに再びエクスポートされることができない。ＯＭＡ ＤＲＭの規格に基づいて、複数のエクスポート宛先システムの１つへのエクスポートをサポートする特定の例を以下に示す。
【０００７】
エクスポート宛先ＤＲＭシステムを、システムＸＹＺ バージョン１．０、又はシステムＡＢＣ バージョン２．０として定義して、ＲＥＬ（権利表現言語）を以下のように定義することができる。
【数１】
2010503083.tif 000003
【０００８】
エクスポートオペレーションを実行するとき、ソースＤＲＭ端末は、宛先システムが、前記定義されたシステム（システムＸＹＺ バージョン１．０又はシステムＡＢＣ バージョン２．０）の一方であるか否かを最初に判断する。宛先システムが、前記定義されたシステムの一方である場合、ソースＤＲＭ端末は、エクスポートオペレーションを、権利を前記２つのシステムのいずれかにエクスポートすることにより実行する。宛先システムが、前記定義されたシステムの一方でない場合、ソースＤＲＭはエクスポートオペレーションを実行しない。
【０００９】
エクスポート許可も含んで許可をエクスポートすることが、従来技術によってはサポートされていない。すなわち、エクスポート許可の転送が従来技術によってはサポートされない。また、複数のＤＲＭシステム間で許可を複数回転送することもサポートされていない。さらに、ＯＭＡ ＤＲＭの規格は、エクスポートプロセス中に権利が特定のシステムにのみエクスポートされることができるように
エクスポートシステムが定義されることをサポートする（定義されたこれらシステムはソースシステム自体を含んではならない）。
【発明の概要】
【発明が解決しようとする課題】
【００１０】
本発明は、複数のＤＲＭシステム間でライセンスを複数回エクスポートすることができないという従来技術における課題を解決するための、ライセンスをエクスポートするための方法及びシステムを提供する。
【課題を解決するための手段】
【００１１】
本発明は、以下の技術的解決法を提供する。
【００１２】
ライセンスをエクスポートする方法であって、第１デバイスにより第２デバイスにライセンスをエクスポートすることを含み、前記エクスポートすることにおいて、前記第１デバイスが、前記ライセンスをエクスポートする前に、前記第２デバイスが属するシステムに前記ライセンスがエクスポートされることが許可されているか否かを少なくとも判断し、前記方法が、さらに、前記ライセンスにおけるエクスポート許可がエクスポートされることが許可されているか否かを、第１デバイスにより、前記ライセンスをエクスポートする前に判断し、前記エクスポート許可がエクスポートされることが許可されている場合、前記ライセンスにおける前記エクスポート許可を前記第２デバイスにエクスポートし、前記エクスポート許可を前記第２デバイスにエクスポートすることにより、前記第２デバイスが前記ライセンスを別のデバイスにエクスポートすることが可能である、ことをさらに含むライセンスをエクスポートする方法。
【００１３】
上記の方法に従えば、前記ライセンスの属性情報に第１識別子が設けられる。この第１識別子は、前記エクスポート許可がエクスポートされることが許可されているか否かを示し、前記第１デバイスは、少なくとも前記第１識別子に従って判断する。
【００１４】
前記第１デバイスは、さらに、前記エクスポート許可がエクスポートされることが許可されているか否かを、前記エクスポート許可がエクスポートされることができる回数に従って判断する。
【００１５】
前記第１デバイスは、前記第２デバイスが属する前記システムに前記ライセンスがエクスポートされることが許可されているか否かを判断することにおいて、さらに、前記第２デバイスが特定の制約を満たしているか否かを判断し、前記特定の制約が満たされている場合、前記ライセンスが前記第２デバイスに一時的にエクスポートされることが許可される。
【００１６】
前記特定の制約は、前記第２デバイスの地理的範囲又は空間的範囲である。
前記ライセンスの前記属性情報に第２識別子が設けられる。この第２識別子は、前記ライセンスのエクスポート先である宛先システムの範囲を定義する。前記第１デバイスは、前記第２デバイスが属する前記システムに前記ライセンスがエクスポートされることが許可されているか否かを前記第２識別子に従って判断し、前記第２識別子は、複数の特定のシステムにおける任意の２つのシステム間で前記ライセンスがエクスポート及びインポートされることが許可されていることを示し、又は、特定の１対のシステムの２つのシステム間で前記ライセンスがエクスポート及びインポートされることが許可されていることを示す。
前記第２識別子が、複数の特定のシステムにおける任意の２つのシステム間で前記ライセンスがエクスポート及びインポートされることが許可されていることを示す場合、前記任意の２つのシステムは互いに異なるシステムである。
【００１７】
前記第２識別子が、特定の１対のシステムの２つのシステム間で前記ライセンスがエクスポートされることが許可されていることを示す場合、前記第１デバイスが属するシステムは、前記２つのシステムのいずれか一方であるか、又は、前記第１デバイスが属するシステムは、前記２つのシステムにおいて特定されたエクスポートシステムであり、前記第２デバイスが属するシステムは、前記２つのシステムにおいて特定されたインポートシステムである。
【００１８】
前記第１デバイスは、さらに、前記ライセンスをエクスポートする前に、前記第２デバイスの情報に従って前記ライセンスを変換するか、又は、前記第２デバイスが、前記ライセンスの受信時に前記ライセンスを変換する。
前記第１デバイス及び前記第２デバイスは、端末デバイス、ゲートウェイ又はサーバである。
【００１９】
ライセンスをエクスポートする方法であって、第１デバイスによりライセンスを第２デバイスにエクスポートすることを含み、前記第１デバイスは、前記ライセンスをエクスポートする前に、前記第２デバイスが属するシステムに前記ライセンスがエクスポートされることが許可されているか否かを少なくとも判断し、前記ライセンスの属性情報に、前記ライセンスのエクスポート先である宛先システムの範囲を定義する第２識別子が設けられ、前記第１デバイスは、前記第２デバイスが属するシステムに前記ライセンスがエクスポートされることが許可されているか否かを前記第２識別子に従って判断し、前記第２識別子が、前記ライセンスが複数の特定のシステムにおける任意の２つのシステム間でエクスポート及びインポートされることが許可されていることを示し、又は、前記第２識別子が、前記ライセンスが特定の１対のシステムの２つのシステム間でエクスポート及びインポートされることが許可されていることを示す、ライセンスをエクスポートする方法。
【００２０】
上記の方法に従えば、前記第２識別子が、前記ライセンスが複数の特定のシステムにおける任意の２つのシステム間でエクスポート及びインポートされることが許可されていることを示す場合、前記任意の２つのシステムは互いに異なるシステムである。
【００２１】
前記第２識別子が、前記ライセンスが特定の１対のシステムの２つのシステム間でエクスポート及びインポートされることが許可されていることを示す場合、前記第１デバイスが属するシステムは前記２つのシステムのいずれか一方であるか、又は、前記第１デバイスが属するシステムがエクスポートシステムであり、前記第２デバイスが属する前記システムがインポートシステムである。
【００２２】
前記第１デバイスは、前記ライセンスをエクスポートする前に、さらに、前記第２デバイスの情報に従って前記ライセンスを変換するか、又は、前記第２デバイスが、前記ライセンスの受信時に前記ライセンスを変換する。
前記第１デバイス及び前記第２デバイスの各々は、端末デバイス、ゲートウェイ又はサーバである。
【００２３】
通信装置であって、
ライセンス及び前記ライセンスに関連する情報を記憶するように適合されている記憶ユニットと、
宛先デバイスが属するシステムに前記ライセンスがエクスポートされることが許可されているか否か、及び、前記ライセンスにおけるエクスポート許可がエクスポートされることが許可されているか否かを判断するように適合されている判断ユニットと、
前記宛先デバイスが属する前記システムに前記ライセンスがエクスポートされることが許可されていること、及び、前記ライセンスにおける前記エクスポート許可がエクスポートされることが許可されていることを判断したときに、前記ライセンスを前記宛先デバイスにエクスポートするように適合されている通信ユニットと、を含む通信装置。
【００２４】
前記通信装置は、さらに、変換ユニットを含み、前記変換ユニットは、前記デバイスと前記宛先デバイスとが異なるシステムに属する場合、前記宛先デバイスの情報に従って前記ライセンスを変換するように適合されている。
【００２５】
前記通信装置は、端末デバイス、ゲートウェイ又はサーバである。
【００２６】
通信システムであって、
第１デバイスを含み、前記第１デバイスは、前記デバイスに記憶されているライセンスが、第２デバイスが属するシステムにエクスポートされることが許可されているか否か、及び、前記ライセンスにおけるエクスポート許可がエクスポートされることが許可されているか否かを判断するように適合され、前記第１デバイスは、前記第２デバイスが属する前記システムに前記ライセンスがエクスポートされることが許可されていること、及び、前記ライセンスにおける前記エクスポート許可がエクスポートされることが許可されていることを判断したときに前記ライセンスを前記第２デバイスにエクスポートするように適合されており、
前記第２デバイスを含み、前記第２デバイスが前記ライセンスを受信するように適合されている、通信システム。
【００２７】
前記エクスポート許可がエクスポートされることが許可されているか否かを示す第１識別子がライセンスの属性情報に設けられ、前記第１デバイスは、少なくとも前記第１識別子に従って判断を行う。
【００２８】
前記ライセンスのエクスポート先である宛先システムの範囲を定義する第２識別子が前記ライセンスの属性情報に設けられ、前記第１デバイスは、前記第２デバイスが属する前記システムに前記ライセンスがエクスポートされることが許可されているか否かを前記第２識別子に従って判断し、前記第２識別子は、複数の特定のシステムにおける任意の２つのシステム間で前記ライセンスがエクスポート及びインポートされることが許可されていることを示し、又は、特定の１対のシステムの２つのシステム間で前記ライセンスがエクスポート及びインポートされることが許可されていることを示す。
【００２９】
前記第１デバイス及び前記第２デバイスの各々が、端末デバイス、ゲートウェイ又はサーバである。
【００３０】
本発明は、以下の有利な作用を達成する。
【００３１】
１．本発明において、エクスポートデバイスは、インポートデバイスが属するシステムにライセンスがエクスポートされることが許可されていることを判断し、且つ、前記ライセンスにおけるエクスポート許可がエクスポートされることが許可されているか否かを判断し、次いで、前記インポートデバイスが属するシステムに前記ライセンスがエクスポートされることが許可されていること、及び、前記エクスポート許可がエクスポートされることが許可されていることを判断したとき、前記ライセンスを前記インポートデバイスにエクスポートする。このようなプロセスが、前記インポートデバイスが前記ライセンスを別のデバイスにエクスポートすることを可能にし、これにより、前記ライセンスが複数のＤＲＭシステム間でエクスポート及びインポートされることを可能にする。
【００３２】
前記ライセンスのエクスポート先であるシステムの範囲、及び、前記ライセンスにおけるエクスポート許可がエクスポートされるか否かの両方が定義され、これは、前記ライセンスが拡散することを防止し、且つ、ライセンス発行者の利益を保証する。ライセンス消費に関係する両者の利益を達成することにより、コンテンツ消費の需要を増大することができる。
【図面の簡単な説明】
【００３３】
【図１】本発明の実施形態に従う通信システムの構造図である。
【図２Ａ】本発明の実施形態に従う第１デバイスの構造図である。
【図２Ｂ】本発明の実施形態に従う、第１デバイスが属するシステムが第２装置が属するシステムと異なる場合の第１デバイスの構造図である。
【図３】本発明の実施形態に従う、第１デバイスから第２デバイスにライセンスをエクスポートするフローチャートである。
【図４】本発明の実施形態に従う、端末デバイスＡから端末デバイスＢにライセンスをエクスポートするフローチャートである。
【発明を実施するための形態】
【００３４】
以下に、本発明の好ましい実施形態を、図面を参照しつつ詳細に記載する。
【００３５】
図１を参照すると、この実施形態における通信システムの全体が、デジタル著作権管理（ＤＲＭ）システム１（例えば、ＯＭＡ ＤＲＭシステム）、及びＤＲＭ２（例えば、ＡＶＳ ＤＲＭ）（これらの２つのＤＲＭシステムに限定されない）、並びにゲートウェイ１０２を含む。ＤＲＭシステム１は、端末デバイス１００−１及びサーバ１０１−１を含み、ＤＲＭシステム２は、端末デバイス１００−２及びサーバ１０１−２を含む。複数のゲートウェイ、複数の端末デバイス及び複数のサーバがＤＲＭシステムに存在することができ、許容される場合、ライセンスの複数のエクスポート及びインポートが、端末デバイスとサーバとの間で、ゲートウェイと端末デバイスとの間で、又は、ＤＲＭシステム１に属するサーバとＤＲＭシステム２に属するサーバとの間で実行されることができる。
【００３６】
異なるＤＲＭシステムにおける端末デバイス間でライセンスをエクスポート及びインポートする例を以下に記載する。ライセンスのエクスポート元である端末デバイスを第１デバイスと称し、ライセンスのインポート先である端末デバイスを第２デバイスと称する。
【００３７】
ライセンスをエクスポート又はインポートするとき、第２デバイスは第１バイスに、ライセンスを第２デバイスにエクスポートすることを要求する。或いは、第１デバイスが、ライセンスを第２デバイスに自発的にエクスポートするようにトリガされる。エクスポートを行う前に、第１デバイスは、最初に、第２デバイスが属するシステムにライセンスがエクスポートされることが許可されているか否かを判断し、また、ライセンスにおけるエクスポート許可がエクスポートされることが許可されているか否かも判断する。
【００３８】
図２Ａを参照すると、好ましくは、第１デバイスはＤＲＭエージェントモジュール２０を含む。モジュール２０は、第１デバイスに記憶されているライセンスが、第２デバイスが属するシステムにエクスポートされることが許可されているか否か、及び、ライセンスにおけるエクスポート許可がエクスポートされることが許可されているか否かを判断するように適合されている。また、モジュール２０は、第２デバイスが属するシステムにライセンスがエクスポートされることが許可されていること、及び、ライセンスにおけるエクスポート許可がエクスポートされることが許可されていることを判断したときに、ライセンスを第２デバイスにエクスポートするように適合されている。
【００３９】
詳細には、ＤＲＭエージェントモジュール２０は、記憶ユニット２００、判断ユニット２０１、及び通信ユニット２０２を含む。記憶ユニット２００は、ライセンス及びライセンスに関する情報を記憶するように適合されている。判断ユニット２０１は、ライセンスが、第２デバイスが属するシステムにエクスポートされることが許可されているか否か、及び、ライセンスにおけるエクスポート許可がエクスポートされることが許可されているか否かを、記憶ユニットに記憶されているライセンス及びライセンスに関する情報に従って判断するように適合されている。通信ユニット２０２は、第２デバイスが属するシステムにライセンスがエクスポートされることが許可されていること、及び、ライセンスにおけるエクスポート許可がエクスポートされることが許可されていることが判断されたときにライセンスを第２デバイスにエクスポートするように適合されている。
【００４０】
ライセンスの属性情報に、ライセンスのエクスポート先又はインポート元であることが許可されるシステムの範囲を定義する識別子が設けられ、判断ユニット２０１は、第２デバイスが属するシステムにライセンスがエクスポートされることが許可されているか否かを、この識別子に従って判断する。詳細には、ライセンスの<system>（システム）要素にて"type"（タイプ）属性を設定することにより、識別子は、システムの範囲の表現タイプを示すことができる。
【００４１】
【数２】
2010503083.tif 000004
式中、属性値"mutual"（相互）は、この設定において任意の２つのシステム間でライセンスをエクスポート及びインポートすることが許可されていることを示し、属性値"oneway"（一方向）は、ライセンスのエクスポート先及びインポート元であることが許可された２つのシステムが、システム間の予め設定された関係に対応することを示す。
【００４２】
３つのシステム間でライセンスをエクスポート及びインポートすることが、属性値"mutual"を設定することにより許可される特定の例を、以下に示す。
【数３】
2010503083.tif 000005
【００４３】
ライセンスのエクスポート先及びインポート元であることが許可された１対のシステムを、属性値"oneway"を設定することにより定義することができる。特定の例を以下に示す。この例において、ライセンスのエクスポート先及びインポート元であることが許可された１対のシステムが以下のように定義される。すなわち、ライセンスのエクスポート及びインポートがシステムＸＹＺ２．０とシステムＯＭＡ２．０との間、及び、システムＸＹＺ２．０とシステムＸＹＺ１．０との間で許可される。しかし、ライセンスをシステムＸＹＺ１．０とシステムＯＭＡ２．０との間でエクスポート及びインポートすることは定義されていない。
【数４】
2010503083.tif 000006
【００４４】
上記のように属性値"oneway"を設定することにおいて、前記１対のシステムの一方が、さらにエクスポートシステムとして定義され、他方がインポートシステムとして定義される場合、ライセンスの現在のエクスポートシステム及びインポートシステムが、前記定義された１対のシステムのエクスポートシステム及びインポートシステムに対応しているべきであることが要求され、システムのエクスポート−インポート関係が全く定義されていない場合、ライセンスの現在のエクスポートシステム及びインポートシステムが、それぞれ、前記定義された１対のシステムのいずれか一方に対応していることのみが要求される。
【００４５】
好ましくは、許可が拡げられることを防止するために、ライセンスをエクスポート及びインポートするためのシステムの範囲を定義したときにエクスポートシステムとインポートシステムとが異なるシステムであることも要求される。この場合、ライセンスのエクスポートシステムとインポートシステムとが異なるシステムであるか否かが最初に判断され、次いで、許可を毎回転送するごとに、インポートシステムが、前記定義されたシステム範囲にあるか否かが判断される。
【００４６】
エクスポートシステムとインポートシステムとが異なるシステムであることが判断された場合、インポートシステムが前記定義されたシステム範囲にあるか否かを判断するだけでよい。ここで、先に記載した<system>（システム）要素における属性"type"（タイプ）を、エクスポートシステムとインポートシステムとが異なるシステムであるか否かを判断することが必要であるか否かを判断するために用いることができ、その詳細な定義は以下の通りである。
【００４７】
【数５】
2010503083.tif 000007
式中、属性値"mutual"は、現在のエクスポートシステム及びインポートシステムが前記定義されたシステムに厳密に対応すること、及び、エクスポートシステムとインポートシステムとが異なるか否かを判断することを要求する。属性値"oneway"は、これら２つの転送の群が同一のシステムに属していないことを保証しており、従って、インポートシステムが定義されたシステム範囲にあるか否かを判断するだけでよい。
【００４８】
図２Ｂを参照すると、エクスポートシステムとインポートシステムとが異なるシステムである場合、ＤＲＭエージェントモジュール２０は、変換ユニット２０３をさらに含む。変換ユニット２０３は、ライセンスを、第２デバイスが属するシステムにより受信されることができるフォーマットに変換するように適合されている。
【００４９】
詳細な例を以下に示す。この例において、ＯＭＡ ＲＥＬフォーマットが、ＡＶＳに準じたフォーマットに変換される。また、現在の権利オブジェクト（ＲＯ）における"play"許可は、以下に示す権利表現言語（ＲＥＬ）で記載されるものとする。
【数６】
2010503083.tif 000008
【００５０】
ＡＶＳフォーマットへの変換は以下の通りである。
【数７】
2010503083.tif 000009
【００５１】
ＲＯにおけるコンテンツキーはＡＶＳ規格により再カプセル化され、ＡＶＳフォーマットによるライセンスが最終的に発生される。
【００５２】
別の例において、ＡＶＳは、ライセンスが用いられるロケーションに対する制約をサポートするが、ＯＭＡはこれをサポートしていない。例えば、ロケーション制約はＯＭＡによりサポートされない。
【数８】
2010503083.tif 000010
【００５３】
従って、ＡＶＳシステムが、ロケーション制約を含むライセンスをＯＭＡシステムにエクスポートする場合、ロケーション制約が除去されてからライセンスがＯＭＡシステムにエクスポートされる。或いは、ライセンスはＯＭＡシステムにエクスポートされることを許可されない。或いは、ライセンスは、ロケーションの機能などをサポートするＯＭＡデバイスにエクスポートされることが許可される。
【００５４】
さらに、ＯＭＡ ＤＲＭシステムの権利表現言語は、「トップレベル制約」("Top Level constraint")を設定することをサポートする。すなわち、１つの許可制約が他の複数の許可を制限することが許可される。例えば、
【数９】
2010503083.tif 000011
【００５５】
上記の許可の記載は、再生と表示の回数が１０回以内まで許可され、すなわち、再生と表示の回数の合計が最大で１０回であることを意味する。例えば、再生と表示の合計回数が最大で１０回を超えないという条件で、再生が２回、表示が８回行われ、或いは、再生が５回、表示が５回行われる。
【００５６】
ＡＶＳ ＤＲＭシステムは「トップレベル制約」をサポートしない。従って、ライセンスをエクスポートするとき、ＯＭＡ ＤＲＭシステムは、ライセンスにおけるこのような制約がＡＶＳ ＤＲＭに転送されることを許可しない。すなわち、ＯＭＡ ＤＲＭシステムは「トップレベル制約」を、特定の許可に関する制約に変換し、次いで、変換されたこれらの制約をＡＶＳ ＤＲＭシステムに転送する。例えば、
【数１０】
2010503083.tif 000012
【００５７】
通信ユニット２０２は、変換ユニット２０３がライセンスを、第２デバイスが属するシステムにより受信されることができるフォーマットに変換した後に、第２デバイスにライセンスをエクスポートする。
【００５８】
ここで、第１デバイスがライセンスをエクスポートするときにライセンスを変換しない場合がある。その代わりに、第２デバイスが、ライセンスの受信時にライセンスを変換することができる。
【００５９】
上記のように、エクスポートを行うシステムとインポートを行うシステムとが異なるシステムであることを定義することは、好ましい実施形態である。ここで、エクスポートシステムとインポートシステムとが必ずしも異なるシステムではない場合がある。すなわち、同一のシステムにおけるデバイス間でライセンスをエクスポートすること及びインポートすることがサポートされ、その場合、インポートシステムが定義されたシステム範囲にあるか否かだけが判断されればよい。
【００６０】
ライセンスの属性情報に、ライセンスにおけるエクスポート許可がエクスポートされることが許可されているか否かを示す別の識別子も設けられる。判断ユニット２０１は、エクスポート許可がエクスポートされることが許可されているか否かを、この識別子に従って判断する。詳細には、この識別子は、ライセンスにおける<export>許可要素に属性"SelfExport"を付加することにより定義されることができる。
【００６１】
【数１１】
2010503083.tif 000013
式中、属性値"Yes"は、エクスポート許可自体も宛先ＤＲＭシステムに許可として転送されることが許可されていることを示し、属性値"No"は、エクスポート許可自体は宛先ＤＲＭシステムに許可として転送されることが許可されていないことを示す。
【００６２】
また、判断ユニット２０１は、エクスポート許可がエクスポートされることが許可されているか否かを、エクスポート許可がエクスポートされることができる回数に従って判断する。詳細には、エクスポート許可がエクスポートされることができる回数は、ライセンスにおけるステータス値、例えば、要素<gcount>を設定することにより示されることができる。
【００６３】
【数１２】
2010503083.tif 000014
式中、gcount は自然数であり、この自然数の値は、転送が１回行われる度に１つずつ減少する。gcountの値が０である場合、エクスポート許可が別のＤＲＭシステムに転送されることは、もはや許可されない。
【００６４】
さらに、ライセンス共有モード（アドホックシェア(Ad Hoc Share)）が、ＯＭＡ ＳＣＥの規格にて提示されており、このモードにおいては、デバイスのライセンスが、幾つかの特定の状況（例えば、地理的範囲又は空間的範囲など）にて幾つかのデバイスにより使用されるために一時的に共有されることができ、"temporarily for use"は、エクスポートされたライセンスが限定された期間内でのみ用いられることができることを意味する。一時的共有のための状況がもはや存在しなくなった場合、ライセンスを既に取得したデバイスは、ライセンスをもはや利用することができない。例えば、一時的に共有されるライセンスをもたらす、デバイスに対する地理的範囲又は空間的範囲が特定の状況を超えた場合、或いは、ライセンスを利用できる限定期間が終了した場合、ライセンスの一時的共有は自動的に無効にされる。
【００６５】
同様に、エクスポート許可も一時的に共有され、それにより、規格が異なるＤＲＭデバイス間での一時的共有を可能にすることができる。例えば、ＡＤ ＨＯＣエクスポート許可がサポートされ、且つ、ライセンスをエクスポートする第１デバイスの相対位置とライセンスを受信する第２デバイスの相対位置とが設定され、又は、第２デバイスの絶対位置が設定されている場合、第１デバイスは、複数の異なるＤＲＭシステムに利用されるための、一時的に共有されるライセンスを有することができる。
【００６６】
一時的なエクスポート(exported Ad Hoc)を定義するために、フラグを設定することができる。これは、例えば、許可が一時的にエクスポートされることが許可されているか否かを示すための属性を<export>要素にて設定することにより行われる。
【００６７】
【数１３】
2010503083.tif 000015
式中、'Adhoc'は、許可が、異なる規格をサポートするＤＲＭデバイスにより一時的に共有されることが許可されることを示し、'No'は、許可が、異なる規格をサポートするＤＲＭデバイスにより一時的に共有されることが許可されないことを意味する。
【００６８】
以下に示すＲＥＬにより定義されるライセンスは、ＸＹＺ１．０、ＸＹＺ２．０とＯＭＡ２．０との間で一時的に共有する方法で１０回エクスポートされることができる。
【数１４】
2010503083.tif 000016
【００６９】
図３を参照すると、第１デバイスがライセンスを第２デバイスにエクスポートするプロセスの流れが以下のように示されている。
【００７０】
ステップ３００：第２デバイスが第１デバイスに、ライセンスを第２デバイスにエクスポートすることを要求する。
【００７１】
ステップ３０１：第１デバイスが、ライセンスが第２デバイスにエクスポートされることが許可されているか否か、及び、ライセンスにおけるエクスポート許可がエクスポートされることが許可されているか否かを判断する。
【００７２】
ステップ３０２：第１デバイスが、ライセンスが第２デバイスにエクスポートされることが許可されていること、及び、ライセンスにおけるエクスポート許可がエクスポートされることが許可されていることを判断したときに、ライセンスを、第２デバイスにより受信されることができるフォーマットに変換する。
【００７３】
ステップ３０３：第１デバイスが、変換されたライセンスを第２デバイスにエクスポートする。
【００７４】
ステップ３００において、第２デバイスが第１デバイスに、ライセンスを第２デバイスにエクスポートするように要求する。或いは、第１デバイスがライセンスを第２デバイスにエクスポートするように第１デバイスが自発的にトリガされることもできる。
【００７５】
ステップ３０１において、第１デバイスによる判断は、第１デバイスにおけるＤＲＭエージェントモジュールにより行われることができる。
【００７６】
図３に示した許可転送の特定の例の流れを以下に示す。
【００７７】
現在、ＯＭＡ ＤＲＭ１．０端末デバイスＡ、ＡＶＳ ＤＲＭ１．０端末デバイスＢ、及び、ＤＶＢ ＤＲＭ１．０端末デバイスＣがあり、ユーザがフィルムを、端末デバイスＡから、端末デバイスＢ又は端末デバイスＣに、鑑賞のために転送したいと仮定する。フィルムに対応するライセンスが、"move"（「移動」）様式でエクスポートされることが許可されており、且つ、異なるシステムに４回エクスポートされることが許可されている。この許可は、ライセンスにて以下のように記載されることができる。
【数１５】
2010503083.tif 000017
【００７８】
図４に示されているように、端末デバイスＡがライセンスを端末デバイスＢにエクスポートするプロセスは以下のように行われる。
【００７９】
ステップ４００：端末デバイスＢは、端末デバイスＡがライセンスを端末デバイスＢにエクスポートすることを要求する。
【００８０】
ステップ４０１：端末デバイスＡは、<export>要素の"SelfExport"属性の値が"Yes"であるという情報を得て、ライセンスにおけるエクスポート許可がエクスポートされることが許可されていることを判断する。次いで、端末デバイスＡは、端末デバイスＢ（すなわち、ＡＶＳ ＤＲＭ１．０）のシステム属性を得る。そして、ライセンスのエクスポート先及びインポート元であることが許可された１対のシステム｛ＯＭＡ ＤＲＭ１．０，ＡＶＳ ＤＲＭ１．０｝を、<export>要素の中の"system"属性情報から発見し、そして、ライセンスが端末デバイスＢにエクスポートされることが許可されていることを判断する。
【００８１】
ステップ４０２：端末デバイスＡは、現在の<gcount>の値が４であるという情報を得て、エクスポート許可がエクスポートされることができる現在の回数を、<gcount>の値を１つずつ減らすことにより更新し、すなわち値を３にする。
【００８２】
ステップ４０３：端末デバイスＡがライセンスを、ＡＶＳシステムにより理解可能なフォーマットに変換する。
【００８３】
ステップ４０４：端末デバイスＡが、変換されたライセンスを端末デバイスＢにエクスポートする。
【００８４】
ステップ４０３にて、端末デバイスＡと端末デバイスＢとが異なる装置であることが知られている。同様に、端末デバイスは、さらに、フィルムコンテンツファイルを、ＡＶＳシステムにより理解可能なフォーマットに変換することができ、変換されたフィルムコンテンツファイルは、その後、端末デバイスＢに転送される。
【００８５】
ライセンスを、異なるＤＲＭシステムのサーバ間で、又は、ゲートウェイと端末デバイス若しくはサーバとの間でエクスポート及びインポートすることは、ライセンスを上記の端末デバイス間でエクスポート及びインポートすることと類似である。ライセンス、及びライセンスにおけるエクスポート許可がエクスポートされることが許可されているか否かの判断がゲートウェイにより行われる場合、ゲートウェイは上記の第１デバイスと同等であり、且つ、同一のプロセスを実行することができる。同様に、ゲートウェイ又はサーバは、図２Ａ及び図２Ｂに示されているような通信ユニット、記憶ユニット、判断ユニット及び変換ユニットも含み得る。
【００８６】
上記の実施形態から理解されるように、本発明において、ライセンスのエクスポート元であるデバイスが、ライセンスのインポート先であるデバイスが属するシステムシステムにライセンスがエクスポートされることが許可されているか否か、及び、ライセンス中のエクスポート許可がエクスポートされることが許可されているか否かを、ライセンスをエクスポートする前に判断する。そして、ライセンスが、インポートデバイスが属するシステムにエクスポートされることが許可されていること、及び、エクスポート許可がエクスポートされることが許可されていることが判断されたときに、ライセンスをインポートデバイスにエクスポートする。このようなプロセスは、インポートデバイスがライセンスを他のデバイスにエクスポートすることを可能にし、それにより、ライセンスが複数のＤＲＭシステム間でエクスポート及びインポートされることを可能にする。さらに、ライセンスのエクスポート先であるシステムの範囲、及び、ライセンスにおけるエクスポート許可がエクスポートされることが許可されているか否かの両方が定義され、これにより、ライセンスが拡散することを防止し、また、ライセンス発行者の利益を保証することができる。ライセンス消費に関係する両方の団体の利益を達成することにより、コンテンツ消費の需要を増大することができる。
【００８７】
当業者が本発明に、本発明の精神の範囲から逸脱せずに様々な修正及び変更を行うことができることが明らかである。従って、本発明は、本発明に対して行われる修正及び変更を、これらの修正及び変更が、本発明に添付された特許請求の範囲及びその均等物内にあることを条件として、包含するものとする。
【図１】
2010503083.tif 000018
【図２Ａ】
2010503083.tif 000019
【図２Ｂ】
2010503083.tif 000020
【図３】
2010503083.tif 000021
【図４】
2010503083.tif 000022
【手続補正書】
【提出日】平成21年3月6日(2009.3.6)
【手続補正２】
【補正対象書類名】明細書
【補正対象項目名】００１２
【補正方法】変更
【補正の内容】
【００１２】
ライセンスをエクスポートする方法であって、第１デバイスにより、前記第２デバイスが属するシステムにライセンスがエクスポートされることが許可されていることを判断し、前記ライセンスにおけるエクスポート許可がエクスポートされることが許可されているか否かを判断し、前記エクスポート許可がエクスポートされることが許可されている場合、前記ライセンスにおける前記エクスポート許可を前記第２デバイスにエクスポートし、前記エクスポート許可を前記第２デバイスにエクスポートすることにより、前記第２デバイスが前記ライセンスを別のデバイスにエクスポートすることが可能である、ことを含む、ライセンスをエクスポートする方法。
【手続補正３】
【補正対象書類名】明細書
【補正対象項目名】００１４
【補正方法】変更
【補正の内容】
【００１４】
前記方法は、さらに、前記エクスポート許可がエクスポートされることが許可されているか否かを、前記エクスポート許可がエクスポートされることができる回数に従って判断する。
【手続補正４】
【補正対象書類名】明細書
【補正対象項目名】００１５
【補正方法】変更
【補正の内容】
【００１５】
前記方法は、前記第２デバイスが属する前記システムに前記ライセンスがエクスポートされることが許可されているか否かを判断することにおいて、前記第２デバイスが特定の制約を満たしているか否かを判断することを含む。
【手続補正５】
【補正対象書類名】明細書
【補正対象項目名】００１６
【補正方法】変更
【補正の内容】
【００１６】
前記方法は、さらに、前記第２デバイスが属する前記システムに前記ライセンスがエクスポートされることが許可されていることを前記ライセンスの属性情報中の第２識別子に従って判断し、前記第２識別子は、前記ライセンスがエクスポートされる範囲を定義する。
【手続補正６】
【補正対象書類名】明細書
【補正対象項目名】００１７
【補正方法】変更
【補正の内容】
【００１７】
前記第２識別子が、特定の複数のシステムの２つのシステム間で前記ライセンスがエクスポート及びインポートされることが許可されていることを示し、前記２つのシステムは異なるシステムであるか、又は、前記第２識別子は、特定の一対のシステムの２つのシステム間で前記ライセンスがエクスポートされることが許可されていることを示し、前記第１デバイスが属するシステムは、前記２つのシステムのいずれか一方であるか、若しくは、前記第１デバイスが属するシステムは、前記２つのシステムにおいて特定されたエクスポートシステムであり、前記第２デバイスが属するシステムは、前記２つのシステムにおいて特定されたインポートシステムである。
【手続補正７】
【補正対象書類名】明細書
【補正対象項目名】００１８
【補正方法】変更
【補正の内容】
【００１８】
前記方法は、さらに、前記ライセンスをエクスポートする前に、前記第２デバイスの情報に従って前記ライセンスを変換する。
【手続補正８】
【補正対象書類名】明細書
【補正対象項目名】００１９
【補正方法】変更
【補正の内容】
【００１９】
ライセンスをエクスポートする方法であって、第１デバイスにより、第２デバイスが属するシステムにライセンスがエクスポートされることが許可されていることを前記ライセンスの属性情報中の第２識別子に従って判断し、前記第２識別子は、前記ライセンスのエクスポート先である宛先システムの範囲を定義する。前記第２識別子が、前記ライセンスが複数の特定のシステムにおける任意の２つのシステム間でエクスポート及びインポートされることが許可されていることを示し、又は、前記第２識別子が、前記ライセンスが特定の１対のシステムの２つのシステム間でエクスポート及びインポートされることが許可されていることを示す、ライセンスをエクスポートする。
【手続補正９】
【補正対象書類名】明細書
【補正対象項目名】００２２
【補正方法】変更
【補正の内容】
【００２２】
前記方法は、さらに、前記ライセンスをエクスポートする前に、前記第２デバイスの情報に従って前記ライセンスを変換するか、又は、前記第２デバイスが、前記ライセンスの受信時に前記ライセンスを変換する。
【手続補正１０】
【補正対象書類名】特許請求の範囲
【補正対象項目名】全文
【補正方法】変更
【補正の内容】
【特許請求の範囲】
【請求項１】
ライセンスをエクスポートする方法であって、
第２デバイスが属するシステムにライセンスがエクスポートされることが許可されていることを判断し、
前記ライセンスにおけるエクスポート許可がエクスポートされることが許可されているか否かを判断し、
前記ライセンスにおける前記エクスポート許可がエクスポートされることが許可されている場合、前記ライセンスにおける前記エクスポート許可を前記第２デバイスにエクスポートし、前記エクスポート許可を前記第２デバイスにエクスポートすることにより、前記第２デバイスが前記ライセンスを別のデバイスにエクスポートすることが可能である、
ことを含むライセンスをエクスポートする方法。
【請求項２】
前記ライセンスにおけるエクスポート許可がエクスポートされることが許可されているか否かを判断することは、前記ライセンスの属性情報中の前記第１識別子に従って前記ライセンスにおけるエクスポート許可がエクスポートされることが許可されているか否かを判断することを含み、前記第１識別子は、前記エクスポート許可がエクスポートされることが許可されているか否かを示す、請求項１に記載の方法。
【請求項３】
前記ライセンスにおけるエクスポート許可がエクスポートされることが許可されているか否かを判断することは、前記エクスポート許可がエクスポートされることが許可されているか否かを、前記エクスポート許可がエクスポートされ得る回数に従って判断することを含む請求項１に記載の方法。
【請求項４】
前記第２デバイスが属するシステムに前記ライセンスがエクスポートされることが許可されているか否かを判断することは、前記第２デバイスが特定の制約を満たしているか否かを判断することをさらに含む請求項１に記載の方法。
【請求項５】
前記第２デバイスが属するシステムに前記ライセンスがエクスポートされることが許可されているか否かを判断することは、前記ライセンスの属性情報中の第２識別子に従って、前記第２デバイスが属するシステムに前記ライセンスがエクスポートされることが許可されているか否かを判断することを含み、前記第２識別子が前記ライセンスのエクスポート先である宛先システムの範囲を定義する請求項１に記載の方法。
【請求項６】
前記第２識別子が、特定の複数のシステムにおける任意の２つのシステム間で前記ライセンスがエクスポート及びインポートされることが許可されていることを示し、前記任意の２つのシステムが互いに異なるシステムであるか、又は、
前記第２識別子が、特定の１対のシステムの２つのシステム間で前記ライセンスがエクスポートされることが許可されていることを示し、前記第１デバイスが属するシステムが、前記２つのシステムのいずれか一方であるか、若しくは、前記第１デバイスが属するシステムが、前記２つのシステムにおいて特定されたエクスポートシステムであり、且つ、前記第２デバイスが属するシステムが、前記２つのシステムにおいて特定されたインポートシステムである請求項５に記載の方法。
【請求項７】
さらに、前記ライセンスをエクスポートする前に前記第２デバイスの情報に従って前記ライセンスを変換することを含む請求項１に記載の方法。
【請求項８】
ライセンスをエクスポートする方法であって、
第２デバイスが属するシステムにライセンスがエクスポートされることが許可されていることをライセンスの属性情報中の第２識別子に従って判断し、前記第２識別子は前記ライセンスのエクスポート先である宛先システムの範囲を定義し、
ライセンスを第２デバイスにエクスポートする、
ことを含む、ライセンスをエクスポートする方法。
【請求項９】
前記第２識別子が、複数の特定のシステムにおける任意の２つのシステム間で前記ライセンスがエクスポート及びインポートされることが許可されていることを示すか、又は、前記ライセンスが特定の１対のシステムの２つのシステム間でエクスポート及びインポートされることが許可されていることを示す請求項８に記載の方法。
【請求項１０】
前記第２識別子が、前記ライセンスが複数の特定のシステムにおける任意の２つのシステム間でエクスポート及びインポートされることが許可されていることを示す場合、前記任意の２つのシステムが互いに異なるシステムである請求項９に記載の方法。
【請求項１１】
前記第２識別子が、特定の１対のシステムの任意の２つのシステム間で前記ライセンスがエクスポート及びインポートされることが許可されていることを示す場合、前記第１デバイスが属するシステムが、前記２つのシステムのいずれか一方であるか、又は、前記第１デバイスが属するシステムが、前記２つのシステムにて特定されるエクスポートシステムであり、且つ、前記第２デバイスが属する前記システムが、前記２つのシステムにて特定されるインポートシステムである請求項９に記載の方法。
【請求項１２】
さらに、前記ライセンスをエクスポートする前に前記第２デバイスの情報に従って前記ライセンスを前記第１デバイスにより変換するか、又は、前記ライセンスを受信した後に前記第２デバイスにより前記ライセンスを変換することを含む請求項８に記載の方法。
【請求項１３】
ライセンス及び前記ライセンスに関連する情報を記憶するように適合されている記憶ユニットと、
宛先デバイスが属するシステムに前記ライセンスがエクスポートされることが許可されているか否か、及び、前記ライセンスにおけるエクスポート許可がエクスポートされることが許可されているか否かを判断するように適合されている判断ユニットと、
前記宛先デバイスが属する前記システムに前記ライセンスがエクスポートされることが許可されていること、及び、前記ライセンスにおける前記エクスポート許可がエクスポートされることが許可されていることを判断したときに、前記ライセンスを前記宛先デバイスにエクスポートするように適合されている通信ユニットと、
を含む通信装置。
【請求項１４】
さらに、前記通信装置と前記宛先デバイスとが異なるシステムに属する場合前記宛先デバイスの情報に従って前記ライセンスを変換するように適合されている変換ユニットを含む請求項１３に記載の装置。
【請求項１５】
前記デバイスが、端末デバイス、ゲートウェイ又はサーバである請求項１３に記載の装置。
【請求項１６】
第１デバイスを含み、前記第１デバイスは、前記第１デバイスに記憶されているライセンスが、第２デバイスが属するシステムにエクスポートされることが許可されているか否か、及び、前記ライセンスにおけるエクスポート許可がエクスポートされることが許可されているか否かを判断するように適合され、前記第１デバイスが、前記第２デバイスが属するシステムに前記ライセンスがエクスポートされることが許可されていること、及び、前記ライセンスにおける前記エクスポート許可がエクスポートされることが許可されていることを判断したときに、前記ライセンスを前記第２デバイスにエクスポートするように適合されており、
前記第２デバイスを含み、前記第２デバイスは前記ライセンスを受信するように適合されている
通信システム。
【請求項１７】
前記エクスポート許可がエクスポートされることが許可されているか否かを示す第１識別子が、前記ライセンスの属性情報に設けられ、前記第１デバイスが、少なくとも前記第１識別子に従って判断を行う請求項１６に記載のシステム。
【請求項１８】
前記ライセンスのエクスポート先である宛先システムの範囲を定義する第２識別子が前記ライセンスの属性情報に設けられ、前記第１デバイスが、前記第２デバイスが属するシステムに前記ライセンスがエクスポートされることが許可されているか否かを前記第２識別子に従って判断し、前記第２識別子が、複数の特定のシステムにおける任意の２つのシステム間で前記ライセンスがエクスポート及びインポートされることが許可されていることを示すか、又は、特定の１対のシステムの２つのシステム間で前記ライセンスがエクスポート及びインポートされることが許可されていることを示す請求項１６に記載のシステム。
【請求項１９】
前記第１デバイス及び前記第２デバイスの各々が、端末デバイス、ゲートウェイ又はサーバである請求項１６に記載のシステム。
【国際調査報告】
2010503083.tif 000023
2010503083.tif 000024
2010503083.tif 000025
2010503083.tif 000026
2010503083.tif 000027
2010503083.tif 000028